(57)【要約】      （修正有）【課題】第１筐体および第２筐体が積層した携帯状態から互いの対向面を平行移動させることにより伸張状態となる携帯端末において、剛性を確保するとともに薄型化を図る。【解決手段】第１筐体と第２筐体とは、連結部によってスライド可能に連結されており、連結部は、第１筐体の裏面および第２筐体の表面のうちの一方に設けられたレールと、第１筐体の裏面および前記第２筐体の表面のうちの他方に設けられてレールに係合するガイドとから構成されており、連結部の一部（すなわちレールおよびガイドの一部）が電池の一部を支持している。このため、携帯状態および伸張状態に関わらず剛性を向上させることができ、薄型化を図ることができる。【選択図】図３
2008147916.tif 000002
【特許請求の範囲】
【請求項１】
第１筐体と、
第２筐体と、
前記第２筐体に対し前記第１筐体をスライド移動させる連結部と、
前記第２筐体の収容部に対して収容され、かつ、少なくとも一部が前記連結部に支持される電池と、を備えたことを特徴とする携帯端末。
【請求項２】
第１筐体と、
第２筐体と、
前記第２筐体に対し前記第１筐体をスライド移動させる連結部と、
前記第２筐体の収容部に対して収容され、かつ、少なくとも一部が前記連結部に支持されるハードディスクドライブと、を備えたことを特徴とする携帯端末。
【請求項３】
前記連結部の一部が前記第１筐体および前記第２筐体のうちの少なくとも一方に収容されていることを特徴とする請求項１または請求項２に記載の携帯端末。
【請求項４】
前記第２筐体は、操作部を有し、
前記操作部と前記電池または前記ハードディスクドライブとの間に前記連結部の一部が挟まれるように配置されることを特徴とする請求項１または請求項２に記載の携帯端末。
【発明の詳細な説明】
【技術分野】
【０００１】
本発明は携帯端末に係り、特に第１筐体の裏面および第２筐体の表面が互いに対面するように積層された携帯状態と、第１筐体の裏面および第２筐体の表面が相対的に平行移動して段違い配置される伸張状態とを選択可能な携帯端末に関する。
【背景技術】
【０００２】
特許文献１の携帯端末は、上部筐体の表面に表示部（ＬＣＤ）および副操作部が設けられているとともに、下部筐体の表面に主操作部とが設けられている。主操作部は、入力キーおよび機能キーを多数備える。
この携帯端末は、連結部を介して上部筐体と下部筐とが相対的にスライド可能に連結されており、両筐体をスライドさせることにより、上部筐体の裏面および下部筐体の表面が互いに対面するように上部筐体および下部筐体が互いに積層した携帯状態と、上部筐体の裏面および下部筐体の表面が相対的に平行移動して上部筐体および下部筐体が段違い配置される伸張状態とを選択可能である（特許文献１参照）。
このような携帯端末は、伸張状態において、上部筐体の副操作部と、下部筐体の主操作部とが隣接し、副操作部および主操作部が互いに連係して操作される。
【０００３】
また、このようなスライド式の携帯端末においては、上筐体と下筐体とをスライド可能に連結する連結部では、上筐体および下筐体の一方にレールを設け、他方にガイドを設けて、レールとガイドとのスライドにより上筐体および下筐体が相対的にスライド可能に連結されている。
【特許文献１】特開２００５−２４４６７９号公報
【発明の開示】
【発明が解決しようとする課題】
【０００４】
ところで、従来より携帯端末においては、第１筐体である上筐体または第２筐体である下筐体に電源である電池を収容するために、電池カバーの内部に袋状の電池収納部が設けられているのが一般的である。
しかしながら、上筐体または下筐体のケース内に空間である電池収納部を設けるため、剛性の低下を招くとともに筐体が厚くなるため、携帯端末の薄型化に限界があった。
【０００５】
本発明は、前述した要望を満たすためになされたもので、その目的は、第１筐体および第２筐体が積層した携帯状態から第１筐体および第２筐体の互いの対向面を平行移動させることにより伸張状態となる携帯端末において、剛性を確保するとともに薄型化を図ることができる携帯端末を提供することにある。
【課題を解決するための手段】
【０００６】
本発明の携帯端末は、第１筐体と、第２筐体と、前記第２筐体に対し前記第１筐体をスライド移動させる連結部と、前記第２筐体の収容部に対して収容され、かつ、少なくとも一部が前記連結部に支持される電池と、を備えたことを特徴とする。
【０００７】
また、本発明の携帯端末は、第１筐体と、第２筐体と、前記第２筐体に対し前記第１筐体をスライド移動させる連結部と、前記第２筐体の収容部に対して収容され、かつ、少なくとも一部が前記連結部に支持されるハードディスクドライブと、を備えたことを特徴とする。
【０００８】
これらの本発明においては、第２筐体の収容部に収容される電池の一部あるいはハードディスクドライブの一部が連結部に支持されているため、剛性を向上させることができ、薄型化を図ることができる。
【０００９】
また、本発明の携帯端末は、前記連結部の一部が前記第１筐体および前記第２筐体のうちの少なくとも一方に収容されていることを特徴とする。
【００１０】
このような本発明においては、例えばレールやガイド等の連結部の一部が第１筐体あるいは第２筐体に収容されるので薄型化できる。
【００１１】
さらに、本発明の携帯端末は、前記第２筐体は、操作部を有し、前記操作部と前記電池または前記ハードディスクドライブとの間に前記連結部の一部が挟まれるように配置されることを特徴とする。
【００１２】
このような本発明においては、第２筐体の操作部と電池またはハードディスクドライブとの間に連結部の一部が挟まれるように配置されるため、操作部が強固に支持され、操作部の操作性が向上することになる。
【発明の効果】
【００１３】
本発明は、電池あるいはハードディスクドライブが連結部の一部に支持されるので、携帯端末の剛性を向上させることができるとともに、全体の薄型化を図ることができるという効果を有する携帯端末を提供することができるものである。
【発明を実施するための最良の形態】
【００１４】
以下、本発明の実施形態の携帯端末について、図面を用いて説明する。
図１（Ａ）は本発明にかかる実施形態の携帯端末の携帯状態を表面側から見た斜視図、図１（Ｂ）は携帯端末の携帯状態を裏面側から見た斜視図、図２は伸張状態における斜視図、図３は上筐体および下筐体を下筐体側から見た分解斜視図、図４は図１（Ａ）中ＩＶ−ＩＶ位置の断面図である。
【００１５】
図１（Ａ）、（Ｂ）および図２に示すように、携帯端末１０は、矩形箱状をした第１筐体である上筐体２０と、同様に矩形箱状をした第２筐体である下筐体３０と、上筐体２０および下筐体３０をスライド可能に連結する連結部４０（図３参照）とを有している。
従って、携帯端末１０は、上筐体２０および下筐体３０を連結部４０によって相対的にスライド移動させることにより、上筐体２０と下筐体３０とが互いに積層した携帯状態（図１（Ａ）、（Ｂ）参照）と、上筐体２０および下筐体３０が段違い配置される伸張状態（図２参照）とが選択可能となっている。
【００１６】
上筐体２０は、アッパーカバー２１とアッパーケース２２とを有しており、アッパーカバー２１の上面２１ａにはＬＣＤ２３ａによる表示部２３、ナビ操作部２４、レシーバ２５、自分撮りカメラ２６等が設けられている。また、アッパーケース２２の下面２２ａには、相手撮りカメラ５１用のカメラ窓２７が設けられている（図３参照）。
【００１７】
下筐体３０は、矩形箱状のロアーケース３２と、ロアーケース３２の一方の端部付近を覆うロアーカバー３１とを有している。ロアーケース３２の下面３２ａには、電池カバー３３ａ、相手撮りカメラ５１用のカメラ窓３４等が設けられている。また、ロアーカバー３１の上面３１ａには、複数のキー３５ａを有する主操作部３５、マイク３６等が設けられている。図１（Ａ）に示すように、携帯端末１０は、上筐体２０と下筐体３０とが完全に重なった携帯状態では、下筐体３０に設けられている操作部３５は完全に隠れており、図２に示すように、上筐体２０および下筐体３０をスライドさせた伸張状態にすることにより現れて操作可能となる。
【００１８】
図３に示すように、上筐体２０のアッパーカバー２１とアッパーケース２２とで形成される内部空間には、上回路基板５０が内蔵されている。上回路基板５０には、下筐体３０に内蔵されている下回路基板６０と接続するＦＰＣ（フレキシブルプリント配線）からなる接続配線５２が設けられている。さらに、上回路基板５０には、相手撮りカメラ５１や、ＬＣＤ（図示省略）に接続されるＬＣＤ配線板５３、ナビ操作部２４のキーシート２４ａからの配線板２４ｂが接続されるナビキーコネクタ５４、バックライド配線板５５が接続されるバックライトコネクタ５６等が設けられている。上回路基板５０は、アッパーカバー２１に設けられている係止爪２１ｂによってアッパーカバー２１に係止されるとともに、後述するスライドレール４１とともにネジ４１ａによってスライドレール４１とともにアッパーカバー２１に締結されている。
【００１９】
図３および図４に示すように、上筐体２０内部における上回路基板５０の下側（図３および図４中の矢印参照）には、上筐体２０と下筐体３０とをスライド可能に連結する連結部４０を構成するレールである金属製のスライドレール４１が設けられている。このスライドレール４１は、ネジ４１ａによって上回路基板５０を介してアッパーカバー２１に締結されるとともに、ネジ４１ｂによって上回路基板５０に締結されている。
【００２０】
図３に示すように、スライドレール４１は、左右一対のレール部４２ａ、４２ｂと、この両レール部４２ａ、４２ｂを連結する幅広の被覆部４３とから全体Ｈ字状に形成されている。
なお、スライドレール４１の被覆部４３は、中央部分が凸字状をしており、内部（凹部）に接続配線５２等を収容できるようになっている。これにより、強度を保持しつつ携帯端末１０の薄型化を図ることができるようになっている。
【００２１】
図３に示すように、下筐体３０におけるロアーカバー３１とロアーケース３２との間には、連結部４０の一部として連結部４０を構成するガイドであるスライドベース４４が取付けられている。
すなわち、スライドベース４４はネジ４５ａによってロアーカバー３１とロアーケース３２との間に固定されると共に、ネジ４５ｂによってロアーケース３２に固定されている。
なお、スライドベース４４の左右両端部は、上方（図３および図４中の矢印参照）へ折り曲げ、さらに内側に折り曲げ加工されて、先端がＬ字上のガイド部４５ａ、４５ｂが形成されている。
【００２２】
従って、図３に示すように、スライドベース４４の左右両側に設けられているガイド部４５ａ、４５ｂが、スライドレール４１のレール部４２ａ、４２ｂを抱え込むように係合することにより、スライドレール４１はスライドベース４４保持された状態でスライドベース４４に沿って前後方向（図３中の矢印参照）へスライド可能となっている。また、アッパーケース２２はロアーケース３２の内側に沿って移動可能となっている。
【００２３】
図３および図４に示すように、下筐体３０のロアーケース３２とスライドベース４４との間には、電池３３を収納する電池収納部（収容部）３３ｂが設けられており、ロアーケース３２に設けられている電池カバー３３ａを取り外すことにより、電池３３の脱着が可能になっている。従って、下筐体３０の操作部３５と電池３３との間に連結部４０の一部が挟まれるように配置される。電池３３の少なくとも一部（図３においてハッチング部分、図４において黒塗り部分）は、連結部４０の一部であるスライドベース４４によって支持されることになる。
なお、電池収納部３３ｂは、下筐体３０における操作部３５と重なる位置に設けられている。従って、操作部３５は、電池３３により強固に支持され、操作部３５のキー３５ａを押圧した際の操作性を向上させるとともに携帯端末１０の剛性を高めることができる。
【００２４】
以上、説明した携帯端末１０によれば、連結部４０の一部（すなわちスライドレール４１およびスライドベース４４の一部）が電池３３の一部を支持しているので、携帯状態および伸張状態に関わらず携帯端末１０の剛性を向上させることができ、薄型化を図ることができる。
【００２５】
また、連結部４０の一部であるスライドレール４１がアッパーケース２２とアッパーカバー２１との間に収容されていると共に、連結部４０の一部であるスライドベース４４がロアーケース３２とロアーカバー３１との間に収容されているので、携帯端末１０の薄型化を図ることができる。
【００２６】
なお、前述した実施形態においては、連結部４０に支持される電池３３を例示したが、例えばマイクロドライブ等のハードディスクドライブ等を連結部４０が支持する形態も本発明に含まれる。
【産業上の利用可能性】
【００２７】
以上のように、本発明によれば、携帯状態および伸張状態に関わらず携帯端末の剛性を向上させることができ、全体の薄型化を図ることができるという効果を有し、第１筐体の裏面および第２筐体の表面が互いに対面するように積層された携帯状態と、第１筐体の裏面および第２筐体の表面が相対的に平行移動して段違い配置される伸張状態とを選択可能な携帯端末等として有用である。
【図面の簡単な説明】
【００２８】
【図１】（Ａ）は本発明にかかる実施形態の携帯端末の携帯状態を表面側から見た斜視図、（Ｂ）は携帯端末の携帯状態を裏面側から見た斜視図である。
【図２】伸張状態における斜視図である。
【図３】上筐体および下筐体を下筐体側から見た分解斜視図である。
【図４】図１（Ａ）中ＩＶ−ＩＶ位置の断面図である。
【符号の説明】
【００２９】
１０  携帯端末
２０  上筐体（第１筐体）
２１  アッパーカバー
２２  アッパーケース
３０  下筐体（第２筐体）
３１  ロアーカバー
３２  ロアーケース
３３  電池
３３ｂ  電池収納部（収容部）
３５  操作部
４０  連結部
４１  スライドレール
４４  スライドベース
５０  上回路基板
５２  接続配線
６０  下回路基板
【図１】
2008147916.tif 000003
【図２】
2008147916.tif 000004
【図３】
2008147916.tif 000005
【図４】
2008147916.tif 000006